(57)【要約】      （修正有）【課題】携帯端末用ケース型充電モジュールを提供する。【解決手段】携帯端末用ケース型充電モジュールは、ケースアセンブリ１００及びバッテリーアセンブリ２００から構成され、特に、ケースアセンブリ１００は、携帯端末の背面デザインを十分露出させながらもバッテリーアセンブリ２００との結合が安定的に行われるように構成される。【選択図】図１
0003220340.tif 000002
【実用新案登録請求の範囲】
【請求項１】
携帯端末を外部環境から保護するために携帯端末の縁及び背面を包み込むように形成され、下端側の内部には前記携帯端末と電気的に接続されるケース端子部を有するケースアセンブリと、
前記ケースアセンブリの背面に着脱可能に設置され、前記ケースアセンブリのケース端子部と電気的に接続されるバッテリー端子部を有し、前記携帯端末へ電源を供給するバッテリーアセンブリとを含んでなり、
前記ケースアセンブリは、携帯端末の上下及び両側縁を包み込むメインケースと、前記メインケースの内側を遮るように設置され、透視可能な材質で形成されるバックカバーとを含むことを特徴とする、携帯端末用ケース型充電モジュール。
【請求項２】
前記ケースアセンブリのケース端子部は、携帯端末に接続される接続コネクタと、前記接続コネクタとは回路基板を介して電気的に接続されるように形成され、ポゴピンが挿入されるポゴピンコネクタとを含んでなり、
前記バッテリーアセンブリの前面には、前記ポゴピンコネクタに接続されるポゴピンが提供されることを特徴とする、請求項１に記載の携帯端末用ケース型充電モジュール。
【請求項３】
前記メインケースの下側内面には、前記ポゴピンコネクタの背面を支えるコネクタ支え部が拡張形成され、
前記コネクタ支え部には、前記ポゴピンが貫通する複数の接続孔が設けられることを特徴とする、請求項２に記載の携帯端末用ケース型充電モジュール。
【請求項４】
前記バックカバーの背面には、前記コネクタ支え部の上周縁部位に沿って第１位置案内突起がさらに突設され、
前記バッテリーアセンブリの前面には、前記第１位置案内突起の収容される第１位置案内溝が凹設されることを特徴とする、請求項３に記載の携帯端末用ケース型充電モジュール。
【請求項５】
前記メインケースの両側内面には、前記バッテリーアセンブリの前面のうち、上側の二つのコーナー部位を支える二つのコーナー支え部がさらに設けられることを特徴とする、
請求項３に記載の携帯端末用ケース型充電モジュール。
【請求項６】
前記バックカバーの背面には、前記コネクタ支え部及び二つのコーナー支え部が凹入装着される装着溝がそれぞれ設けられることを特徴とする、請求項５に記載の携帯端末用ケース型充電モジュール。
【請求項７】
前記コネクタ支え部の前面両側及び前記二つのコーナー支え部の前面には、第１磁力部材の一部を挿入するための第１挿入溝がそれぞれ設けられ、
前記バックカバーの背面に設けられた各装着溝には、前記第１磁力部材の残りの一部を挿入するための第２挿入溝がそれぞれ設けられ、
前記バッテリーアセンブリには、前記第１磁力部材との磁力結合のための第２磁力部材が備えられることを特徴とする、請求項６に記載の携帯端末用ケース型充電モジュール。
【請求項８】
前記バックカバーの背面に設けられた各装着溝のうち、前記第２挿入溝の周囲には第２位置案内突起が突設され、
前記バッテリーアセンブリの前面には、前記第２位置案内突起の収容される第２位置案内溝が凹設されることを特徴とする、請求項７に記載の携帯端末用ケース型充電モジュール。
【請求項９】
前記バックカバーの各装着溝には結合孔がそれぞれ設けられ、
前記コネクタ支え部の前面両側及び前記二つのコーナー支え部の前面には、前記結合孔を貫通して結合される結合突起がそれぞれ設けられることを特徴とする、請求項５に記載の携帯端末用ケース型充電モジュール。
【請求項１０】
前記二つのコーナー支え部は、前記バッテリーアセンブリの前面のうち、上側の二つのコーナーと対向する位置にそれぞれ設けられることを特徴とする、請求項５に記載の携帯端末用ケース型充電モジュール。
【請求項１１】
前記バッテリーアセンブリの背面内側部位には結合溝がさらに設けられ、
前記結合溝には滑り防止のための滑り止め部材がさらに備えられることを特徴とする、請求項１に記載の携帯端末用ケース型充電モジュール。
【考案の詳細な説明】
【技術分野】
【０００１】
本考案は、携帯端末の充電のための充電モジュールに係り、さらに詳しくは、ケース単独用途に使用することもできるだけなく、このようなケースに携帯端末を装着した状態で補助バッテリーの追加装着による充電が可能であり、特に補助バッテリーの分離の際に携帯端末の背面デザインが十分見られるようにしながらも、安定的な保護が行われるようにした、新たな形態による携帯端末用ケース型充電モジュールに関する。
【背景技術】
【０００２】
一般に、スマートフォンなどの携帯端末は、単純な通話の機能にのみ限定されず、大型の液晶を提供して様々な画像やグラフィックを表示することができるようにすることにより、多様に活用できるようにした携帯用通話端末である。
【０００３】
このような携帯端末は、前述したような大型の液晶を用いた画像やグラフィックの提供によりバッテリー消費が大きいしかなく、これにより、最近では前述したバッテリー消費を最小化し、或いは補助バッテリーによって携帯中に充電するなどの様々な技術が開発されている。
【０００４】
ところが、前記補助バッテリーによって携帯中に携帯端末を充電する技術の場合、前記補助バッテリーと携帯端末が互いに別個に構成されることにより、別途の充電ケーブルがさらに提供されなければならないうえ、互いに分離された補助バッテリーと携帯端末を同時に把持することが不便であるという欠点があった。
【０００５】
よって、最近では、本出願人によって出願されたように、携帯電話ケースに補助バッテリーを一体化させて使用することができるようにした技術が提供された。これに関連しては、韓国特許第１０−１４４１６７７号及び韓国公開特許第１０−２０１７−００５８８４２号に提示されているとおりである。
【０００６】
しかし、これらの従来技術は、事実上、携帯端末の背面を完全に覆う構造で構成されるので、前記携帯端末の背面デザインが見えないため、一部のユーザーの不満が引き起こされた。
【０００７】
すなわち、最近、携帯端末の背面は、当該携帯端末の特徴を最もよく露出させるデザインで構成されているが、このような携帯端末の背面全体を補助バッテリー或いはケースが遮ることにより、事実上、背面デザインの非露出による不満が存在したのである。
【０００８】
もちろん、ケースを透明材質で形成する方法もあったが、この場合、補助バッテリーとの結合が安定的に行われないうえ、携帯端末の色による対応がなされていない物足りなさが存在し、また、透明材質のケースは強度が弱いため、携帯端末の曲げ変形に対する保護を行うことができないという欠点があった。
【先行技術文献】
【特許文献】
【０００９】
【特許文献１】韓国特許第１０−１４４１６７７号公報
【特許文献２】韓国公開特許第１０−２０１７−００５８８４２号公報
【考案の概要】
【考案が解決しようとする課題】
【００１０】
本考案は、前述した従来技術による各種問題点を解決するためになされたもので、その目的は、ケース単独用途に使用することもできるうえ、このようなケースに携帯端末を装着した状態で補助バッテリーの追加装着による充電が可能であり、特に補助バッテリーの分離の際に携帯端末の背面形状が十分露出できるようにしながらも、携帯端末の背面に対する安定的な保護が行われるようにした、新たな形態による携帯端末用ケース型充電モジュールを提供することにある。
【課題を解決するための手段】
【００１１】
上記の目的を達成するための本考案の携帯端末用ケース型充電モジュールによれば、携帯端末を外部環境から保護するために携帯端末の縁及び背面を包み込むように形成され、下端側の内部には前記携帯端末と電気的に接続されるケース端子部を有するケースアセンブリと；前記ケースアセンブリの背面に着脱可能に設置され、前記ケースアセンブリのケース端子部と電気的に接続されるバッテリー端子部を有し、前記携帯端末へ電源を供給するバッテリーアセンブリと；を含んでなり、前記ケースアセンブリは、携帯端末の上下及び両側縁を包み込むメインケースと、前記メインケースの内側を遮るように設置され、透視可能な材質で形成されるバックカバーとを含むことを特徴とする。
【００１２】
ここで、前記ケースアセンブリのケース端子部は、携帯端末に接続される接続コネクタと、前記接続コネクタとは回路基板を介して電気的に接続されるように形成され、ポゴピンが挿入されるポゴピンコネクタとを含んでなり、前記バッテリーアセンブリの前面には、前記ポゴピンコネクタに接続されるポゴピンが提供されることを特徴とする。
【００１３】
また、前記メインケースの下側内面には、前記ポゴピンコネクタの背面を支えるコネクタ支え部が拡張形成され、前記コネクタ支え部には、前記ポゴピンが貫通する複数の接続孔が設けられることを特徴とする。
【００１４】
また、前記バックカバーの背面には、前記コネクタ支え部の上周縁部位に沿って第１位置案内突起がさらに突設され、前記バッテリーアセンブリの前面には、前記第１位置案内突起の収容される第１位置案内溝が凹設されることを特徴とする。
【００１５】
また、前記メインケースの両側内面には、前記バッテリーアセンブリの前面のうち、上側の二つのコーナー部位を支える二つのコーナー支え部がさらに形成されることを特徴とする。
【００１６】
また、前記バックカバーの背面には、前記コネクタ支え部及び二つのコーナー支え部が凹入装着される装着溝がそれぞれ設けられることを特徴とする。
【００１７】
また、前記コネクタ支え部の前面両側及び前記二つのコーナー支え部の前面には、第１磁力部材の一部を挿入するための第１挿入溝がそれぞれ設けられ、前記バックカバーの背面に設けられた各装着溝には、前記第１磁力部材の残りの一部を挿入するための第２挿入溝がそれぞれ設けられ、前記バッテリーアセンブリには、前記第１磁力部材との磁力結合のための第２磁力部材が備えられることを特徴とする。
【００１８】
また、前記バックカバーの背面に設けられた各装着溝のうち、前記第２挿入溝の周囲には第２位置案内突起が突設され、前記バッテリーアセンブリの前面には前記第２位置案内突起の収容される第２位置案内溝が凹設されることを特徴とする。
【００１９】
また、前記バックカバーの各装着溝には結合孔がそれぞれ設けられ、前記コネクタ支え部の前面両側及び前記二つのコーナー支え部の前面には、前記結合孔を貫通して結合される結合突起がそれぞれ設けられることを特徴とする。
【００２０】
また、前記二つのコーナー支え部は、前記バッテリーアセンブリの前面のうち、上側の二つのコーナーと対向する位置にそれぞれ設けられることを特徴とする。
【００２１】
また、前記バッテリーアセンブリの背面内側部位には結合溝がさらに設けられ、前記結合溝には滑り防止のための滑り止め部材がさらに備えられることを特徴とする。
【考案の効果】
【００２２】
上述したように、本考案の携帯端末用ケース型充電モジュールは、バッテリーアセンブリをケースアセンブリから分離する場合、携帯端末の背面デザインが十分外部に見られるため、ユーザーの満足度が向上する。
【００２３】
また、本考案の携帯端末用ケース型充電モジュールのケースアセンブリは、携帯端末を外部衝撃から保護する部位、スクラッチから保護する部位、及び曲げ変形から保護する部位が一体化されて提供され、各第１磁力部材及びコネクタ端子部は、バックカバーを緩衝バンパー及びメインケースに結合する作業のみで一緒に組み立てられるので、全体的な組み立て作業が容易である。
【００２４】
特に、本考案の携帯端末用ケース型充電モジュールは、ケースアセンブリとバッテリーアセンブリの定位置案内のための各第１位置案内突起、及び第２位置案内突起が単純な一字形の構造ではなく、各コーナー支え部及びコネクタ支え部の周囲に沿ってラウンドされるように形成される曲線構造をなすようにすることにより、全方向への位置ずれが防止される。
【図面の簡単な説明】
【００２５】
【図１】本考案の実施例に係る携帯端末用ケース型充電モジュールを説明するために互いに異なる方向からみた状態を示す結合斜視図である。
【図２】本考案の実施例に係る携帯端末用ケース型充電モジュールを説明するために互いに異なる方向からみた状態を示す結合斜視図である。
【図３】本考案の実施例に係る携帯端末用ケース型充電モジュールを説明するために示す背面図である。
【図４】本考案の実施例に係る携帯端末用ケース型充電モジュールを説明するために示す正面図である。
【図５】本考案の実施例に係る携帯端末用ケース型充電モジュールを説明するために示す側面図である。
【図６】本考案の実施例に係る携帯端末用ケース型充電モジュール中のケース端子部の設置構造を説明するために示す要部拡大断面図である。
【図７】本考案の実施例に係る携帯端末用ケース型充電モジュールのケースアセンブリとバッテリーアセンブリを分解して示す分解図である。
【図８】本考案の実施例に係る携帯端末用ケース型充電モジュールのケースアセンブリを説明するために示す分解図である。
【図９】図８の「Ａ」部の拡大図である。
【図１０】図８の「Ｂ」部の拡大図である。
【図１１】本考案の実施例に係る携帯端末用ケース型充電モジュールのケースアセンブリを図８とは反対の方向からみた分解図である。
【図１２】図１１の「Ｃ」部の拡大図である。
【図１３】図１１の「Ｄ」部の拡大図である。
【図１４】本考案の実施例に係る携帯端末用ケース型充電モジュールのバッテリーアセンブリに対する前面構造を説明するために示す斜視図である。
【考案を実施するための形態】
【００２６】
以下、本考案の携帯端末用ケース型充電モジュールの好適な実施例を図１乃至図１４を参照して説明する。
【００２７】
図１及び図２は本考案の実施例に係る携帯端末用ケース型充電モジュールを説明するために互いに異なる方向からみた状態を示す結合斜視図、図３は本考案の実施例に係る携帯端末用ケース型充電モジュールを説明するために示す背面図、図４は本考案の実施例に係る携帯端末用ケース型充電モジュールを説明するために示す正面図、図５は本考案の実施例に係る携帯端末用ケース型充電モジュールを説明するために示す側面図である。
【００２８】
これらの図に示されているように、本考案の実施例に係る携帯端末用ケース型充電モジュールは、大きくケースアセンブリ１００及びバッテリーアセンブリ２００から構成され、特に、前記ケースアセンブリ１００は、携帯端末１０の背面デザインを十分露出させながらもバッテリーアセンブリ２００との結合が安定的に行われるように構成されることを特徴とする。
【００２９】
これを各構成別にさらに詳細に説明する。
【００３０】
まず、前記ケースアセンブリ１００は、携帯端末１０を外部環境から保護するように提供される部位である。
【００３１】
前記ケースアセンブリ１００は、メインケース１１０及びバックカバーで構成され、携帯端末１０の縁及び背面を包み込む。
【００３２】
前記ケースアセンブリ１００を構成するメインケース１１０は、携帯端末１０の縁を包み込むように提供される部位であり、携帯端末１０の曲げ変形を防止することができるようにポリカーボネート或いは金属材質で形成される。
【００３３】
このようなメインケース１１０は、上側部位をなす上部フレーム１１１と、両側部位をなす二つの側部フレーム１１２と、下側部位をなす下部フレーム１１３とから構成され、前記各フレーム１１１、１１２、１１３同士が連結される４つのコーナーはラウンドされるように形成される。
【００３４】
ここで、前記メインケース１１０の下側内面（下部フレームの内面）には、コネクタ支え部１１４が拡張形成され、前記コネクタ支え部１１４には、ポゴピンが貫通する複数の接続孔１１５が設けられる。このとき、前記コネクタ支え部１１４の両側部位は、上部に行くほど漸次内向きに傾くように形成され、前記コネクタ支え部１１４の両側と前記メインケース１１０の二つの側部フレーム１１２との間は互いに離隔するように構成される。
【００３５】
前記メインケース１１０の両側内面（二つの側部フレームの内面）には、バッテリーアセンブリ２００の前面のうち、上側の二つのコーナー部位を支えるための二つのコーナー支え部１１６が前記バッテリーアセンブリ２００の前面を遮る方向に向かって拡張形成される。特に、前記二つのコーナー支え部１１６は、後述のバッテリーアセンブリ２００の前面のうち、上側の二つのコーナーと対向する位置にそれぞれ形成されるようにして、前記バッテリーアセンブリ２００をケースアセンブリ１００に結合する場合、前記バッテリーアセンブリ２００が前記コネクタ支え部１１４及び二つのコーナー支え部１１６によってメインケース１１０に安定的に支えられた状態を維持することができるようにしたのである。
【００３６】
また、前記メインケース１１０の内部には、緩衝バンパー１３０がさらに備えられることが好ましい。前記緩衝バンパー１３０は、メインケース１１０が衝撃を受けるとき、この衝撃を緩衝して携帯端末１０が前記衝撃から保護されるように提供される部位であり、緩衝可能なゴム材質（例えば、ウレタン）で形成される。
【００３７】
前記緩衝バンパー１３０の前面のうち、内側縁部位には安着溝１３１が設けられる。前記安着溝１３１は、後述のバックカバー１２０が安着する部位として提供される。
【００３８】
一方、前記メインケース１１０をなす上側内面（上部フレームの内面）には、携帯端末１０の上部を支える上部支え部１１７が拡張形成され、これにより、前記携帯端末１０の背面は全部位にわたって安定的に支えられる。
【００３９】
前記ケースアセンブリ１００をなすバックカバーは、携帯端末１０の背面を保護する部位であり、特に、前記携帯端末１０の背面デザインが外部に露出できるように透視可能な材質（例えば、アクリル）で形成される。
【００４０】
このようなバックカバー１２０は前記メインケース１１０の前面内側に装着されながら、前記メインケース１１０の開放された内側部位を遮るように形成され、好ましくは、前記緩衝バンパー１３０の安着溝１３１に圧入させることにより、前記緩衝バンパー１３０の弾性復元力によって前記緩衝バンパー１３０に嵌め込まれた状態に維持できるようにする。
【００４１】
さらに、前記バックカバー１２０の背面には、メインケース１１０のコネクタ支え部１１４及び二つのコーナー支え部１１６が凹入装着される装着溝１２１、１２２がそれぞれ設けられる。
【００４２】
また、前記バックカバー１２０には、複数の結合孔１２３が設けられるとともに、前記メインケース１１０には、前記各結合孔１２３に結合される結合突起１１８が設けられる。
【００４３】
このとき、前記各結合孔１２３は、前記バックカバー１２０の各装着溝１２１、１２２に設けられ、前記結合突起１１８は、前記コネクタ支え部１１４の前面両側及び前記二つのコーナー支え部１１６の前面にそれぞれ設けられる。すなわち、前記バックカバー１２０は、前記緩衝バンパー１３０の弾性復元力のみで結合状態が維持されるようにしたのではなく、前記結合突起１１８による付加的な結合力によって結合状態がさらに安定的に維持されるようにしたのである。
【００４４】
図６はケース端子部１４０の設置構造を説明するために示す断面図であり、図８は本考案の実施例に係る携帯端末用ケース型充電モジュールのケースアセンブリを説明するために示す分解図である。
【００４５】
これによれば、ケースアセンブリ１００の下端側内部には、携帯端末１０と電気的に接続されるケース端子部１４０が備えられる。
【００４６】
前記ケース端子部１４０は、携帯端末１０に接続される接続コネクタ１４１と、前記接続コネクタ１４１とは回路基板１４２を介して電気的に接続されるように形成され、ポゴピンが挿入されるポゴピンコネクタ１４３とを含んでなる。すなわち、前記ケースアセンブリ１００に設置される携帯端末１０は、前記ケース端子部１４０を介してバッテリーアセンブリ２００の電源供給を受けることができるように構成されるのである。
【００４７】
このとき、前記ポゴピンコネクタ１４３は、コネクタ支え部１１４の前面に支えられた状態で設置される。
【００４８】
また、前記接続コネクタ１４１とポゴピンコネクタ１４３との間を連結する回路基板１４２は、通常のプリント回路基板（ＰＣＢ）からなってもよく、曲げ変形可能なフレキシブルＰＣＢからなってもよい。
【００４９】
次に、前記バッテリーアセンブリ２００は、蓄電器を有する携帯用補助バッテリーである。
【００５０】
このようなバッテリーアセンブリ２００には、ＵＳＢコネクタが接続される第１接続部２５０（図１参照）、及び充電ケーブルのコネクタが接続される第２接続部２６０（図２及び図１２参照）がそれぞれ備えられる。
【００５１】
特に、本考案の実施例では、前記バッテリーアセンブリ２００が前記ケースアセンブリ１００に選択的に結合され、前記ケースアセンブリ１００に装着された状態の携帯端末１０へ電源或いはその他の電気信号を提供することができるように構成されることを提示する。
【００５２】
このようなバッテリーアセンブリ２００は、前記ケースアセンブリ１００の背面に着脱可能に設置されるとともに、前記ケースアセンブリ１００のケース端子部１４０に電気的に接続されるバッテリー端子部２１０（図１２参照）を含んで構成される。この時、前記バッテリー端子部２１０には、前記ケースアセンブリ１００をなすケース端子部１４０のポゴピンコネクタ１４３に接続されるポゴピン２１１が提供される。
【００５３】
一方、図８及び図１１は本考案の実施例に係る携帯端末用ケース型充電モジュールのケースアセンブリを説明するために互いに異なる方向からみた状態を示す分解図であり、図９及び図１０は図８の「Ａ」部及び「Ｂ」部の拡大図であり、図１２及び図１３は図１１の「Ｃ」部及び「Ｄ」部の拡大図であり、図１４は本考案の実施例に係る携帯端末用ケース型充電モジュールのバッテリーアセンブリを説明するために示す斜視図である。
【００５４】
これによれば、前記コネクタ支え部１１４の前面両側及び前記二つのコーナー支え部１１６の前面には、第１磁力部材３１０の一部を挿入するための第１挿入溝１１９がそれぞれ設けられ（図８乃至図１０参照）、前記前記バックカバー１２０の背面に設けられた各装着溝１２１、１２２には、前記第１磁力部材３１０の残りの一部を挿入するための第２挿入溝１２４がそれぞれ設けられ（図１１乃至図１３参照）、前記バッテリーアセンブリ２００には、前記第１磁力部材３１０との磁力結合のための第２磁力部材３２０（図１４参照）が備えられる。
【００５５】
すなわち、前述した第１磁力部材３１０及び第２磁力部材３２０によって前記ケースアセンブリ１００に前記バッテリーアセンブリ２００が容易に結合できるようにしたのである。
【００５６】
この時、前記第１磁力部材３１０及び第２磁力部材３２０は、互いに反対極の磁石からなってもよく、前記第１磁力部材３１０及び第２磁力部材３２０のうち、いずれか一方の磁力部材のみが磁石からなるとともに、もう一方の磁力部材は磁石に付着する金属材質から構成されてもよい。
【００５７】
特に、前記各時力部材３１０、３２０が位置する部位は、ケースアセンブリ１００とバッテリーアセンブリ２００との間の各端子部１４０、２１０が接続される部位、及びバッテリーアセンブリ２００の上端の二つのコーナー部位であるため、前記ケースアセンブリ１００とバッテリーアセンブリ２００との間の各端子部１４０、２１０同士の電気的接続が正確に行われるとともに、前記バッテリーアセンブリ２００とケースアセンブリ１００との結合が安定的に維持され得る。
【００５８】
また、前記バックカバー１２０の背面には、コネクタ支え部１１４の上周縁部位に沿って第１位置案内突起１２５が突設され、前記バッテリーアセンブリ２００の前面には、前記第１位置案内突起１２５の収容される第１位置案内溝２２０が凹設される。すなわち、前記第１位置案内突起１２５及び第１位置案内溝２２０によってバッテリーアセンブリ２００がケースアセンブリ１００に結合されるときに定位置に安着でき、これにより各端子部１４０、２１０同士の接続が正確に行われ得る。
【００５９】
また、前記バックカバー１２０の背面に設けられた第２挿入溝１２４の周囲には第２位置案内突起１２６が突設され、前記バッテリーアセンブリ２００の前面には前記第２位置案内突起１２６の収容される第２位置案内溝２２２が凹設される。すなわち、前記第２位置案内突起１２６及び第２位置案内溝２２２の構造によって前記バッテリーアセンブリ２００の上端の二つのコーナーがケースアセンブリ１００の各コーナー支え部１１６に正確に安着できることにより、各端子部１４０、２１０同士の接続がさらに正確に行われるとともに、バッテリーアセンブリ２００とケースアセンブリ１００との結合がさらに強固に行われ得る。
【００６０】
この時、前記第１位置案内突起１２５及び第２位置案内突起１２６は、単純な直線型構造ではなく、各支え部１１４、１１６の周囲がなすラウンド部位に沿ってラウンドされるように形成することにより、単に上下または左右方向のうちのいずれか一方向にのみ位置がずれることを防止するのではなく、上下及び左右方向の全方向に位置がずれることを防止することができる。
【００６１】
また、図７は本考案の実施例に係る携帯端末用ケース型充電モジュールのケースアセンブリとバッテリーアセンブリを分解して示す分解図である。
【００６２】
図７に示されているように、前記バッテリーアセンブリ２００の背面内側部位には結合溝２３０がさらに設けられ、前記結合溝２３０には滑り防止のための滑り止め部材２４０がさらに備えられる。
【００６３】
すなわち、前記バッテリーアセンブリ２００がケースアセンブリ１００に結合された状態の場合、携帯端末１０の保管の際に前記バッテリーアセンブリ２００の背面を下向きにして置くことを考慮すると、前記滑り止め部材２４０によって、該当バッテリーアセンブリ２００が滑ることを防止することができるようにしたのである。
【００６４】
以下、前述した本考案の実施例に係る携帯端末用ケース型充電モジュール中のケースアセンブリ１００の組立過程について説明する。
【００６５】
まず、ケースアセンブリ１００をなすメインケース１１０、緩衝バンパー１３０、バックカバー１２０及びケース端子部１４０をそれぞれ準備する。
【００６６】
その状態で前記メインケース１１０の前方側内部に前記緩衝バンパー１３０を圧入結合する。この時、前記緩衝バンパー１３０は、ゴム材質からなることを考慮すると、前記メインケース１１０内に結合される場合には、その自体の復元力によって前記メインケース１１０の内面に正確に密着でき、また、強制的に脱去しない限り該当位置に維持される。
【００６７】
前述した緩衝バンパー１３０の結合が完了すると、ケース端子部１４０の接続コネクタ１４１は、前記緩衝バンパー１３０の底面を貫通して露出するように結合し、ポゴピンコネクタ１４３は、前記コネクタ支え部１１４の背面に密着させる。
【００６８】
その後、前記緩衝バンパー１３０の前面にバックカバー１２０を結合し、これにより、前記ポゴピンコネクタ１４３は前記バックカバー１２０とメインケース１１０との間に位置した状態で離脱することが防止される。
【００６９】
特に、前記緩衝バンパー１３０にバックカバー１２０を結合すると、前記バックカバー１２０は、前記緩衝バンパー１３０の安着溝１３１に圧入され、前記バックカバー１２０の各装着溝１２１、１２２に設けられた結合孔１２３には、コネクタ支え部１１４の前面両側及び二つのコーナー支え部１１６の前面に設けられた結合突起１１８が結合される。
【００７０】
この時、前記バックカバー１２０の各安着溝１２１、１２２には、メインケース１１０のコネクタ支え部１１４及び二つのコーナー支え部１１６が収容されるように装着されるため、前記バックカバー１２０を前記メインケース１１０に結合すると、前記バックカバー１２０の背面の高さが前記メインケース１１０の背面の高さと一致する。
【００７１】
前述した過程によってケースアセンブリ１００が完成される。このようなケースアセンブリ１００内に携帯端末１０を結合させることにより、前記携帯端末１０は全ての縁及び背面が外部環境（衝撃や傷など）から保護される。
【００７２】
特に、バックカバー１２０は、透視可能な材質からなるため、携帯端末１０の背面デザインが露出できる。この時、メインケース１１０の二つのコーナー支え部１１６及びコネクタ支え部１１４は、前記バックカバー２０の背面を支えることにより、前記バックカバー１２０が前記メインケース１１０の後方に撓む場合、メインケース１１０から分離される問題点は未然に防止される。
【００７３】
一方、前述のように作られた携帯端末用ケース型充電モジュールをケースとして使用する途中で携帯端末１０の充電を行おうとする場合には、前記携帯端末１０をケースアセンブリ１００に装着した状態そのままバッテリーアセンブリ２００を結合させる。
【００７４】
すなわち、バッテリーアセンブリ２００を前記ケースアセンブリ１００の背面に密着させることにより、前記バッテリーアセンブリ２００のバッテリー端子部２１０に備えられた各ポゴピン２１１が、コネクタ支え部１１４に設けられた各接続孔１１５を貫通してポゴピンコネクタ１４３に接続される。
【００７５】
また、前述のようにバッテリーアセンブリ２００を前記ケースアセンブリ１００の背面に密着させる場合、前記バッテリーアセンブリ２００及びケースアセンブリ１００の第１磁力部材３１０及び第２磁力部材３２０が互いに吸着しながら前記二つのアセンブリ１００、２００を強固に固定する。
【００７６】
特に、ケースアセンブリ１００のバックカバー１２０に設けられた第１位置案内突起１２５及び第２位置案内突起１２６は、バッテリーアセンブリ２００の前面に設けられた第１位置案内溝２２１及び第２位置案内溝２２２に凹入されることにより、二つのアセンブリ１００、２００は定位置に結合でき、これにより、バッテリー端子部２１０のポゴピン２１１はポゴピンコネクタ１４３に正確に接続できる。
【００７７】
結局、本考案の携帯端末用ケース型充電モジュールは、バッテリーアセンブリ２００をケースアセンブリ１００から分離する場合、携帯端末の背面デザインが十分外部に見られるため、ユーザーの満足度が向上する。
【００７８】
また、本考案の携帯端末用ケース型充電モジュールのケースアセンブリは、携帯端末１０を外部衝撃から保護する部位、スクラッチから保護する部位、及び曲げ変形から保護する部位が一体化されて提供され、各第１磁力部材３１０及びコネクタ端子部１４０は、バックカバー１２０を緩衝バンパー１３０及びメインケース１１０に結合する作業のみで一緒に組み立てられ得るので、全体的な組立作業が容易である。
【００７９】
特に、本考案の携帯端末用ケース型充電モジュールは、ケースアセンブリ１００とバッテリーアセンブリ２００の定位置案内のための各第１位置案内突起１２５及び第２位置案内突起１２６が単純な一字型の構造ではなく、各コーナー支え部１１６及びコネクタ支え部１１４の周囲に沿ってラウンドされるように形成される曲線構造をなすようにすることにより、全方向への位置ずれが防止される。
【符号の説明】
【００８０】
１０…携帯端末、１００…ケースアセンブリ、１１０…メインケース、１１１…上部フレーム、１１２…側部フレーム、１１３…下部フレーム、１１４…コネクタ支え部、１１５…接続孔、１１６…コーナー支え部、１１７…上部支え部、１１８…結合突起、１１９…第１挿入溝、１２０…バックカバー、１２１，１２２…装着溝、１２３…結合孔、１２４…第２挿入溝、１２５…第１位置案内突起、１２６…第２位置案内突起、１３０…緩衝バンパー、１３１…安着溝、１４０…ケース端子部、１４１…接続コネクタ、１４２…回路基板、１４３…ポゴピンコネクタ、２００…バッテリーアセンブリ、２１０…バッテリー端子部、２１１…ポゴピン、２２１…第１位置案内溝、２２２…第２位置案内溝、２３０…結合溝、２４０…滑り止め部材、３１０…第１磁力部材、３２０…第２磁力部材。
【図１】
0003220340.tif 000003
【図２】
0003220340.tif 000004
【図３】
0003220340.tif 000005
【図４】
0003220340.tif 000006
【図５】
0003220340.tif 000007
【図６】
0003220340.tif 000008
【図７】
0003220340.tif 000009
【図８】
0003220340.tif 000010
【図９】
0003220340.tif 000011
【図１０】
0003220340.tif 000012
【図１１】
0003220340.tif 000013
【図１２】
0003220340.tif 000014
【図１３】
0003220340.tif 000015
【図１４】
0003220340.tif 000016